【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  光量調節手段と、外周面に多極着磁したロータマグネットに対して、励磁コイルを備えた一対のステータを電気角で９０°の位相差を有して対向配置し、前記各励磁コイルに交番電流を通電する事により前記ロータマグネットを正逆回転させて前記光量調節手段を開閉駆動するステッピングモータと、所定の前記励磁コイルへの通電により決定される前記ロータマグネットの初期位置を基準として前記ロータマグネットの機械角を所定の範囲に制限するストッパーと、を備えた光量調節装置であって、
前記ロータマグネットの着磁極数をＰとすると、前記ストッパーは、機械角＜（２×３６０°）／Ｐの範囲に前記ロータマグネットの機械角を制限することを特徴とする光量調節装置。
【請求項２】  前記光量調節手段は、前記ロータマグネットの回転が前記ストッパーにより制限されているときには、第１の開口状態又は該第１の開口状態とは開口面積の異なる第２の開口状態となり、前記ロータマグネットが前記初期位置にあるときには、全閉状態となることを特徴とする請求項１に記載の光量調節装置。
【請求項３】  前記所定の励磁コイルとは異なる他の励磁コイルへの通電方向を変更することにより、前記ロータマグネットを前記ストッパーによって制限される位置に回転させることを特徴とする請求項１または２に記載の光量調節装置。
【請求項４】  前記所定の励磁コイルへの通電に伴う前記光量調節手段の駆動によってシャッター動作を行うとともに、前記所定の励磁コイルとは異なる他の励磁コイルへの通電に伴う前記光量調節手段の駆動によって絞り動作を行い、
前記所定の励磁コイルの抵抗値は前記他の励磁コイルの抵抗値よりも小さいことを特徴とする請求項２に記載の光量調節装置。
【請求項５】  前記所定の励磁コイルへの通電に伴う前記光量調節手段の駆動によってシャッター動作を行うとともに、前記所定の励磁コイルとは異なる他の励磁コイルへの通電に伴う前記光量調節手段の駆動によって絞り動作を行い、
前記他の励磁コイルに対する通電制御値が、前記所定の励磁コイルに対する通電制御値よりも小さいことを特徴とする請求項２に記載の光量調節装置。
【請求項６】  請求項１乃至５のいずれか一項に記載の光量調節装置を有することを特徴とする画像記録装置。
【手続補正２】
【補正対象書類名】明細書
【補正対象項目名】０００６
【補正方法】変更
【補正の内容】
【０００６】
本出願に係る発明の主な目的は、絞りの位置検出用のセンサーや検出回路を用いずに光量調節が行える光量調節装置および画像記録装置を提供しようとするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
【課題を解決するための手段】
本発明は、光量調節手段と、外周面に多極着磁したロータマグネットに対して、励磁コイルを備えた一対のステータを電気角で９０°の位相差を有して対向配置し、前記各励磁コイルに交番電流を通電する事により前記ロータマグネットを正逆回転させて前記光量調節手段を開閉駆動するステッピングモータと、所定の前記励磁コイルへの通電により決定される前記ロータマグネットの初期位置を基準として前記ロータマグネットの機械角を所定の範囲に制限するストッパーと、を備えた光量調節装置であって、前記ロータマグネットの着磁極数をＰとすると、前記ストッパーは、機械角＜（２×３６０°）／Ｐの範囲に前記ロータマグネットの機械角を制限することを特徴とする光量調節装置にある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１９
【補正方法】変更
【補正の内容】
【００１９】
８、９はＡ励磁コイル５に←方向に通電した時の初期状態を基準とし、ロータマグネットの着磁数をＰとすると、ロータマグネット１の機械角を[（２×３６０°）／Ｐ]以下、すなわちＰ＝４であるから機械角＜１８０°の範囲に制限する第１ストッパー、第２ストッパーである。
【手続補正１３】
【補正対象書類名】明細書
【補正対象項目名】００２０
【補正方法】変更
【補正の内容】
【００２０】
図２（ａ）、（ｂ）は第１ストッパー８、第２ストッパー９の位置から、Ａ励磁コイル５に←方向に通電することにより初期位置に設定できる動作を示す。ここではロータマグネット１に図示する矢印により第１ストッパー８、第２ストッパー９とレバー３が当接する位置関係を代用する。なお、図２の（ａ）に示す第１ストッパー位置および、（ｂ）に示す第２ストッパー位置には例えばＡ励磁コイル５またはＢ励磁コイル７への駆動信号の通電によりロータマグネット１が回転してレバー３が移動し、その位置で通電を停止したものとする。
【手続補正１４】
【補正対象書類名】明細書
【補正対象項目名】００２６
【補正方法】変更
【補正の内容】
【００２６】
次に、Ｂ励磁コイル７に図３（ｂ）に示すように←方向（第２方向）に通電すると共に、Ａ励磁コイル５の通電をＯＦＦにすると、ロータマグネット１は、図３（ｂ）の矢印方向（右）へ回転し、Ｂステータ６の磁極とロータマグネット１の磁極が対向した○１で示す位置でレバー３が停止する。
【手続補正１５】
【補正対象書類名】明細書
【補正対象項目名】００２８
【補正方法】変更
【補正の内容】
【００２８】
次に、図３（ｃ）に示すように、Ｂ励磁コイル７に→方向（第２方向と逆方向）に通電すると共に、Ａ励磁コイル５への通電をＯＦＦにすると、ロータマグネット１は図３（ｃ）の矢印方向（左）へ回転し、Ｂステータ６の磁極とロータマグネット１の磁極が対向した○３に示す位置でレバー３が停止する。
【手続補正１６】
【補正対象書類名】明細書
【補正対象項目名】００３２
【補正方法】変更
【補正の内容】
【００３２】
レバー３の初期位置はＡ励磁コイル５がＳＩＮ１００％の入力となっている時である。
【手続補正１７】
【補正対象書類名】明細書
【補正対象項目名】００３３
【補正方法】変更
【補正の内容】
【００３３】
初期位置に対して電気角でθ°回転させるには、図の通電波形からわかるように、Ａ励磁コイル５とＢ励磁コイル７の通電量の比を
Ａ励磁コイル＝ＳＩＮ（θ＋９０°）
Ｂ励磁コイル＝ＳＩＮ（θ）
で求められる比に設定すれば、レバー３の停止位置を略制御する事ができる。
【手続補正１８】
【補正対象書類名】明細書
【補正対象項目名】００３８
【補正方法】変更
【補正の内容】
【００３８】
ステッピングモータ１０の通電入力は、不図示の端子よりＡ,Ｂ励磁コイル５,７に供給され、その通電方法は、前述と同様であるので詳細な説明を省略する。
【手続補正１９】
【補正対象書類名】明細書
【補正対象項目名】００４０
【補正方法】変更
【補正の内容】
【００４０】
閉状態はステッピングモータ１０がＡ励磁コイル５の図３（ａ）に示す通電条件により初期位置の状態を決定する。
【手続補正２０】
【補正対象書類名】明細書
【補正対象項目名】００４２
【補正方法】変更
【補正の内容】
【００４２】
絞り開放は図３（ｂ）に示す通電条件により絞り羽根１３が開動作し、レバー１１が初期位置から時計方向に回転してストッパー１２で位置規制され、不図示の光学機器の絞り開放径１４で開放状態を設定する。
【手続補正２１】
【補正対象書類名】明細書
【補正対象項目名】００４４
【補正方法】変更
【補正の内容】
【００４４】
絞り開放と絞り全閉との間における絞り状態（小絞り）は図３（ｃ）に示す通電条件によりレバー１１が初期位置から反時計方向に回転してストッパー１２で位置規制され、絞り開口部１３ｂによって小絞り開口形状が決定される。このとき、図３と図５の対応は以下の通りである。
【手続補正２２】
【補正対象書類名】明細書
【補正対象項目名】００４６
【補正方法】変更
【補正の内容】
【００４６】
図６（ａ）は絞り値設定時の各励磁コイルへの通電波形を示す。このとき、通電制御値としてのデューティ（duty）を略５０％とすると、消費電力は図６（ｂ）に示す矩形波入力の場合と比較して約１／２に低減できる。この時のＰＷＭの周波数は通電電流波形が略直流電流になる周波数で設定する。
【手続補正２３】
【補正対象書類名】明細書
【補正対象項目名】００５２
【補正方法】変更
【補正の内容】
【００５２】
ＳＴ１０２：撮影モードであれば、絞り駆動回路を図６（ａ）に示したＰＷＭ駆動に設定する。
【手続補正２４】
【補正対象書類名】明細書
【補正対象項目名】００５４
【補正方法】変更
【補正の内容】
【００５４】
ＳＴ１０４：カメラに設けられたレリーズボタンが半押しされることにより露出決定のための動作等を開始させる第１レリーズスイッチがオンしたか否かを判断する。
【手続補正２５】
【補正対象書類名】明細書
【補正対象項目名】００６３
【補正方法】変更
【補正の内容】
【００６３】
【発明の効果】
本発明によれば、絞りの位置検出用のセンサーや検出回路を用いず光量調節を容易に行う事ができる。
【手続補正２６】
【補正対象書類名】明細書
【補正対象項目名】００６４
【補正方法】削除
【補正の内容】
【手続補正２７】
【補正対象書類名】明細書
【補正対象項目名】００６５
【補正方法】削除
【補正の内容】
【手続補正２８】
【補正対象書類名】明細書
【補正対象項目名】符号の説明
【補正方法】変更
【補正の内容】
【符号の説明】
１…ロータマグネット
２…回転軸
３，１１…レバー
４…Ａステータ
５…Ａ励磁コイル
６…Ｂステータ
７…Ｂ励磁コイル
８…第１ストッパー
９…第２ストッパー
１０…ステッピングモータ
１２…ストッパー
１３…絞り羽根
１４…絞り開放径
１５…絞り羽根直進ガイド
【手続補正２９】
【補正対象書類名】図面
【補正対象項目名】図４
【補正方法】変更
【補正の内容】
【図４】
2002107792.tif 000001
【手続補正３０】
【補正対象書類名】図面
【補正対象項目名】図５
【補正方法】変更
【補正の内容】
【図５】
2002107792.tif 000002